(57)【特許請求の範囲】
【請求項１】
複数の画像の中から予め選択された画像を予めユーザにより任意に指定された順番で自動再生する自動プログラム再生機能を有するデジタルカメラであって、
自動再生順ファイルの設定操作のための操作手段と、
前記操作手段の操作に応じて前記自動再生順ファイルの設定を制御し、かつユーザにより所望の自動再生順ファイルが選択された場合には、メモリに記憶されている画像ファイル番号により規定される順次切り替える表示の順番を考慮しないで、ユーザにより選択された前記自動再生順ファイルの順番で、前記画像を自動再生する制御手段と
を具備したことを特徴とするデジタルカメラ。
【請求項２】
前記制御手段により制御されて前記自動再生順ファイルを前記メモリに記憶させる記憶制御手段と、
前記制御手段に制御されて前記操作手段の操作に対応して前記自動再生順ファイルの設定操作のための操作用画面を切り替え表示する表示手段と
を具備したことを特徴とする請求項１に記載のデジタルカメラ。
【請求項３】
前記制御手段は、
前記設定を実行する際にその実行対象の自動再生順ファイルが外部装置により作成された自動再生順ファイルか否かを検出する検出手段と、
該検出手段の検出結果に応じて自動再生順ファイルの設定の可否を前記表示手段に表示させる手段と
を有することを特徴とする請求項２に記載のデジタルカメラ。
【請求項４】
前記制御手段は、前記自動再生順ファイルのヘッダの有無、ヘッダを含む該ファイルのフォーマットの所定の規格との一致、前記記憶手段の空容量を判断し、該判断結果に応じて自動再生順ファイルの設定の可否を前記表示手段に表示させることを特徴とする請求項２または３に記載のデジタルカメラ。
【請求項５】
前記記憶手段に作成される自動再生順ファイルは、画像の少なくとも再生出力順序と所定のヘッダを記録したファイルであることを特徴とする請求項２ないし４のいずれかに記載のデジタルカメラ。
【請求項６】
前記操作手段として、［ＭＥＮＵ］ボタン、［ＳＥＴ］ボタン、選択対象の第一の方向への変更ボタン、選択対象の前記第一の方向と異なる第二の方向への変更ボタンを用いて前記データの設定操作を行い、
前記第一の方向への変更ボタンと前記第二の方向への変更ボタンによる画像またはメニュー項目の選択、［ＳＥＴ］ボタンによる選択画像またはメニュー選択項目の決定、［ＭＥＮＵ］ボタンによる画像表示モードからメニューへの移行とメニューモードでの上位階層への戻り動作を行うことを特徴とする請求項１ないし５のいずれかに記載のデジタルカメラ。
【請求項７】
前記操作手段としてマルチ画面表示での改ページに用いる［ＪＵＭＰ］ボタンを有することを特徴とする請求項６に記載のデジタルカメラ。
【請求項８】
前記操作手段の前記［ＭＥＮＵ］ボタン、前記［ＳＥＴ］ボタン、前記選択対象の第一の方向への変更ボタン、前記選択対象の前記第一の方向と異なる第二の方向への変更ボタンは、撮影用と兼用であることを特徴とする請求項５または６のいずれかに記載のデジタルカメラ。
【請求項９】
前記自動再生順ファイルの設定は該自動再生順ファイルの作成、編集、保存、削除の少なくともいずれか１つであることを特徴とする請求項１ないし８のいずれかに記載のデジタルカメラ。
【発明の詳細な説明】
【０００１】
【発明の属する技術分野】
本発明は、複数の静止画の中からユーザが予め選択した画像をユーザが予め選択した順番で自動またはマニュアル再生する自動プログラム再生機能を有するデジタルカメラに関する。
【０００２】
【従来の技術】
従来、固体メモリ素子を有するメモリカードを記憶手段として、静止画像や動画像を記録再生するデジタルカメラ（電子カメラ）等の画像処理装置は既に市販されており、カラー液晶パネル等の電子ファインダーを備えるデジタルカメラも販売されている。これらのデジタルカメラによれば、撮影前の画像を連続して液晶パネル等の電子ファインダー上に表示して電子カメラの使用者が構図を決定することや、撮影した画像を再生表示して確認することが可能である。特に、撮影した画像を撮影直後に再生する機能は利便性が高く、デジタルカメラの使用者にとって有益な機能となっている。
【０００３】
他方、パーソナルコンピュータ、フルキーボードおよびマウスを用いて、複数の静止画の自動またはマニュアル再生を行うスライドショー機能が知られている。また、スライドショーの対象とする画像の選択にライトペンを用いているものも最近提供されている。
【０００４】
【発明が解決しようとする課題】
上記のようなデジタルカメラの場合でも、ＴＶ受像機のようなモニタにデジタルカメラを接続して簡単にスライドショーを実行することができれば、個人用ばかりでなく、プレゼンテーションのような営業用の要請にも応えることができるので、非常に好ましい。また、そのスライドショーの複雑・高度な画像編集作業もパーソナルコンピュータ等の外部の装置の助けを借りずにデジタルカメラ自体で遂行できることが望ましい。
【０００５】
また、デジタルカメラ等の小型の画像再生機器あるいは画像記録再生機器では、できるだけ小型・軽量化が要請され、また操作性やデザイン、スペース等の要請から操作キーの数もできるだけ少ない方が望ましいとされている。このような制限から、デジタルカメラ等の小型機ではスライドショー機能を実行するための特別な専用キーを新たに設けることはできるだけ避けた方が望ましく、既存の操作キーを利用して高度なスライドショーが実行できれば理想的であるといえる。
【０００６】
しかしながら、このような少数の兼用キーのみを用いてスライドショーの高度な画像編集等を行うことのできるデジタルカメラ等の小型画像再生機器はまだ提案されていない。
【０００７】
本発明は、上記の点に鑑みて成されたもので、その目的は、自動再生プログラムの再生、あるいは修正変更を行い易くするデジタルカメラを提供することにあり、更に好ましくは、必要最小限度の兼用操作キーを用いて自動再生プログラムの編集・実行を行うことのできるデジタルカメラを提供することにある。
【００３９】
【課題を解決するための手段】
上記目的を達成するため、請求項１の発明は、複数の画像の中から予め選択された画像を予めユーザにより任意に指定された順番で自動再生する自動プログラム再生機能を有するデジタルカメラであって、自動再生順ファイルの設定操作のための操作手段と、前記操作手段の操作に応じて前記自動再生順ファイルの設定を制御し、かつユーザにより所望の自動再生順ファイルが選択された場合には、メモリに記憶されている画像ファイル番号により規定される順次切り替える表示の順番を考慮しないで、ユーザにより選択された前記自動再生順ファイルの順番で、前記画像を自動再生する制御手段とを具備したことを特徴とする。
【００４０】
好ましくは、前記制御手段により制御されて前記自動再生順ファイルを前記メモリに記憶させる記憶制御手段と、前記制御手段に制御されて前記操作手段の操作に対応して前記自動再生順ファイルの設定操作のための操作用画面を切り替え表示する表示手段とを具備する。
【００４１】
好ましくは、前記制御手段は、前記設定を実行する際にその実行対象の自動再生順ファイルが外部装置により作成された自動再生順ファイルか否かを検出する検出手段と、該検出手段の検出結果に応じて自動再生順ファイルの設定の可否を前記表示手段に表示させる手段とを有する。
【００４２】
好ましくは、前記制御手段は、前記自動再生順ファイルのヘッダの有無、ヘッダを含む該ファイルのフォーマットの所定の規格との一致、前記記憶手段の空容量を判断し、該判断結果に応じて自動再生順ファイルの設定の可否を前記表示手段に表示させる。
【００４３】
好ましくは、前記記憶手段に作成される自動再生順ファイルは、静止画像の少なくとも再生出力順序と所定のヘッダを記録したファイルである。
【００４４】
好ましくは、前記操作手段として、［ＭＥＮＵ] ボタン、［ＳＥＴ］ボタン、選択対象の第一の方向への変更ボタン、選択対象の前記第一の方向と異なる第二の方向への変更ボタンを用いて前記データの設定操作を行い、前記第一の方向への変更ボタンと前記第二の方向への変更ボタンによる画像またはメニュー項目の選択、［ＳＥＴ］ボタンによる選択画像またはメニュー選択項目の決定、［ＭＥＮＵ] ボタンによる画像表示モードからメニューへの移行とメニューモードでの上位階層への戻り動作を行う。
【００４５】
好ましくは、前記操作手段としてマルチ画面表示での改ページに用いる［ＪＵＭＰ］ボタンを有する。
【００４６】
好ましくは、前記操作手段の前記［ＭＥＮＵ] ボタン、前記［ＳＥＴ］ボタン、前記選択対象の第一の方向への変更ボタン、前記選択対象の前記第一の方向と異なる第二の方向への変更ボタンは、撮影用と兼用である。
【００４７】
好ましくは、前記自動再生順ファイルの設定は該自動再生順ファイルの作成、編集、保存、削除の少なくともいずれか１つである。
【００４８】
【発明の実施の形態】
以下、図面を参照して本発明の実施形態を詳細に説明する。
【００４９】
（画像処理装置の構成）
図１は、本発明の実施形態の画像再生装置の構成例を示す図である。図１において、１００は画像処理装置である。ここで、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００５０】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００５１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００５２】
２４は画像表示メモリ、２６はＤ／Ａ変換器である。２８はＴＦＴ、ＬＣＤ等から成る画像表示部であり、画像表示メモリ２４に書き込まれた表示用の画像データはＤ／Ａ変換器２６を介して画像表示部２８により表示される。Ｄ／Ａ変換器２６からのアナログ画像出力は、コネクタ１１４，１２０を介して外部出力可能であり、外部のＣＲＴ等のモニタ１２２に表示することができる。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００５３】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００５４】
３２は適応的離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００５５】
４０は絞り機能を備えるシャッター１２を制御する露光制御手段であり、フラッシュ４８と連携することによりフラッシュ調光機能も有するものである。４２は撮影レンズ１０のフォーカシングを制御する測距制御手段、４４は撮影レンズ１０のズーミングを制御するズーム制御手段、４６はバリアである保護手段１０２の動作を制御するバリア制御手段である。４８はフラッシュであり、ＡＦ補助光の投光機能、フラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００５６】
５０は画像処理装置１００全体を制御するシステム制御回路、５２はシステム制御回路５０の動作用の定数、変数、プログラム等を記憶するメモリであって、後述の図７、図１５に示す如き制御手順も格納している。
【００５７】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記憶手段２００及び２１０の着脱状態表示、通信Ｉ／Ｆ動作表示、日付け・時刻表示、等がある。また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００５８】
５６は電気的に消去・記録可能な不揮発性メモリであり、例えばＥＥＰＲＯＭ等が用いられる。
【００５９】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００６０】
ここで、これらの操作手段の具体的な説明を行う。まず、６０はモードダイアルスイッチであり、電源オフ、自動撮影モード、撮影モード、パノラマ撮影モード、再生モードであってシングル画面再生およびマルチ画面再生／消去モード、ＰＣ接続モード等の各機能モードを切り替え設定することが出来る。
【００６１】
６２はシャッタースイッチＳＷ１で、シャッターボタン（図示しない）の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００６２】
６４はシャッタースイッチＳＷ２で、シャッターボタン（図示しない）の操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記憶手段２００或いは２１０に画像データを書き込む記録処理という一連の処理の動作開始を指示する。
【００６３】
６６は画像表示ＯＮ／ＯＦＦスイッチで、画像表示部２８のＯＮ／ＯＦＦを設定することが出来る。この機能により、光学ファインダー１０４を用いて撮影を行う際に、ＴＦＴ、ＬＣＤ等から成る画像表示部への電流供給を遮断することにより、省電力を図ることが可能となる。
【００６４】
６８はクイックレビューＯＮ／ＯＦＦスイッチで、撮影直後に撮影した画像データを自動再生するクイックレビュー機能を設定する。なお、本実施形態例では特に、画像表示部２８をＯＦＦとした場合におけるクイックレビュー機能の設定をする機能を備えるものとする。
【００６５】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／間設定ボタン等がある。
【００６６】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記憶手段を含む各部へ供給する。
【００６７】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６８】
９０及び９４はメモリカードやハードディスク等の記憶手段とのインタフェース、９２及び９６はメモリカードやハードディスク等の記憶手段と接続を行うコネクタ、９８はコネクタ９２及び或いは９６に記憶手段２００或いは２１０が装着されているか否かを検知する記憶手段着脱検知手段である。
【００６９】
なお、本実施形態例では記憶手段を取り付けるインターフェース及びコネクタを２系統持つものとして説明している。もちろん、記憶手段を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ）カード等の規格に準拠したものを用いて構成して構わない。さらに、インタフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００７０】
１０２は、画像処理装置１００のレンズ１０を含む撮像部を覆うことにより、撮像部の汚れや破損を防止するバリアである保護手段である。
【００７１】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００７２】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信手段１１０により画像処理装置１００を他の機器と接続するコネクタ或いは無線通信の場合はアンテナである。
【００７３】
２００はメモリカードやハードディスク等の記憶手段である。記憶手段２００は、半導体メモリや磁気ディスク等から構成される記録部２０２、画像処理装置１００とのインタフェース２０４、画像処理装置１００と接続を行うコネクタ２０６を備えている。
【００７４】
２１０はメモリカードやハードディスク等の記憶手段である。記憶手段２１０は、半導体メモリや磁気ディスク等から構成される記録部２１２、画像処理装置１００とのインタフェース２１４、画像処理装置１００と接続を行うコネクタ２１６を備えている。
【００７５】
（画像処理装置の外観）
図２は本画像再生装置を適用した電子カメラの平面図、図３は同電子カメラの背面図である。図中の符号で図１と同一のものは同一の構成要素を示す。１１６はシャッタボタンを示す。カメラの撮影画像は画像表示部２８に表示されるが、これは通常ＬＣＤ（液晶ディスプレイ）を使用しているので、以下ＬＣＤと称する。スライドショーのための編集、設定等のための画面もこのＬＣＤ２８に表示されるが、プレゼンテーション等のため後述のスライドショーを実行するなどの場合には、コネクタ１１４にＴＶ受像機のようなモニタ１２２（図１）を接続して画像を外部出力することもできる。
【００７６】
操作部７０の操作ボタンとしては、［ＭＥＮＵ] ボタン、［ＳＥＴ］ボタン、［＋］ボタン、［−］ボタンがある。操作部７０のこれら操作ボタンは次のように用いる。
【００７７】
・［ＭＥＮＵ] ボタンは、メニュー起動、画像操作を含むメニュー階層下では上の階層に戻る。画像記録のためのメニュー選択に兼用してもよい。
【００７８】
・［ＳＥＴ］ボタンは、メニュー選択項目決定、画像操作の実行（ガイダンス付き）で用いる。画像記録のためのメニュー選択に兼用しもよい。
【００７９】
・［ＪＵＭＰ］ボタンは、マルチ画面表示での改ページに用いる。
【００８０】
・［＋］    ボタンは、最新の画像に向かう画像移動、メニューの項目移動（スライドショーのポーズ・再開）に用いる。
【００８１】
・［−］    ボタンは、最古の撮影画像に向かう画像移動、メニューの項目移動（スライドショーのポーズ・再開）に用いる。
【００８２】
［＋］ボタン、［−］ボタンは、前者を送りボタン、後者を戻しボタンと称してもかまわないが、これらボタンは後述のように自動再生モードでのスライドショーのポーズ・再開用のボタンとしても用いられる。
【００８３】
（記憶手段に記録されるデータのディレクトリ構造）
図４は、記憶手段に記録されるデータのディレクトリ構造の一例を示す。
【００８４】
ＣＴＧ ＊＊＊＊は画像データファイルを示すディレクトリ、
ＭＩＳＣはスライドショウ用のファイルを示すディレクトリ、を各々示し、
ＡＵＴ ＊＊＊＊．ＪＰＧはＪＰＥＧ（国際標準規格）による圧縮画像データファイル、
ＴＨＭ ＊＊＊＊．ＪＰＧはサムネール画像データファイルを示し、
ＡＵＴ ＊＊＊＊．ＣＲＷはＣＣＤＲＡＷ（撮像素子からのデータをそのまま（非圧縮で）記録したことことを示す）データファイルを各々示す。ＡＵＴ ＊＊＊＊．＊＊＊とＴＨＭ ＊＊＊＊．ＪＰＧは対になっている。すなわち、１回の撮像毎に通常画像（ＡＵＴ ＊＊＊＊．＊＊＊）と、サムネール画像（ＴＨＭ ＊＊＊＊．ＪＰＧ）とが４桁の同一番号で記憶手段上に記録され、シングル画面再生、マルチ画面再生、スライドショウ再生処理時等に提供される。
【００８５】
本例では一例として、ＣＴＧ ＊＊＊＊は“９９９９”まで、１万個まで記憶可能で、ＴＨＭ ＊＊＊＊．ＪＰＧ、およびＡＵＴ ＊＊＊＊．ＪＰＧ（または、ＡＵＴ ＊＊＊＊．ＣＲＷ）はそれぞれ各ＣＴＧ ＊＊＊＊毎に５０個まで記憶可能とする。
【００８６】
また、ＭＩＳＣは各スライドショウを示すファイルが置かれるサブディレクトリであって、その下位に各スライドショウ用の自動再生順ファイルに関するデータが記録されている。ここで、
ＭＡＲＫ ００．ＭＲＫはスライドショウ用の第１の自動再生順ファイルＳｈｏｗ１（ファイルの名前）、
ＭＡＲＫ ０１．ＭＲＫはスライドショウ用の第２の自動再生順ファイルＳｈｏｗ２（ファイルの名前）、
ＭＡＲＫ ０２．ＭＲＫはスライドショウ用の第３の自動再生順ファイルＳｈｏｗ３（ファイルの名前）に対応する。
【００８７】
本例では、一例として、各ＭＡＲＫ ＊＊．ＭＲＫはそれぞれ１００枚までの画像を格納できるものとする。
【００８８】
（シングル画像再生）
図２に示すモードダイアルスイッチ６０のダイアルセット位置がSingleでシングル画面が起動し、Multi でマルチ画面が起動し、その起動後、最新の画像（一番大きいファイル番号を持つ）を表示する。
【００８９】
シングル再生では、画像をＬＣＤ（画像表示部）２８の画面一杯に表示する。自分が撮影するサイズ以外の場合はフル画面の表示にはならず、余白（黒）ができる。起動時は最新の画像を表示し、その後、［＋／−］ボタンで表示画面を前後に移動する。最後（＝最新）の画像で、［＋］ボタンを押した場合は先頭（＝最古）画像を表示する。先頭で［−］ボタンを押した場合は最終画面を表示する。
【００９０】
（マルチ画像再生）
マルチ画再生では、図５に示すように、サムネール画像（インデクス用の小さい画像）を３×３の格子状にＬＣＤ２８の画面一杯に表示する。予め定められたサイズ以外の場合はフル画面の表示にはならず、余白（黒）ができる。また、表示不可能なサムネールはその理由に応じてその理由を表すアイコン（図示しない）を表示する。例えば、サムネールが存在しない場合は、シングル表示のCCDRAWでサムネールが無いことを示すアイコンを用いる。
【００９１】
起動後は、最新の画像を右下に配置して表示する。ただし、９枚以下の場合は、左上から順番に表示し、改ページはしない。通常一つの画像がカーソルで選択され、［＋／−］ボタンで、図５に示すように、選択画像が移動する。この選択画像とは、メニューから入る画像操作（Erase ，Copy，Protect ）の最初の対象となること、および、選択後にシングル再生の対象になることである。画面下方に現在どこを見ているかを示すポジションバー（図示しない）を表示する。
【００９２】
［ＪＵＭＰ］ボタンを押すと、ポジションバーの代わりにジャンプバー（図示しない）を表示する。その状態で、［＋／−］ボタンを押すと、次（前）の頁に移動する。再び、［ＪＵＭＰ］ボタンが押されると、カーソルが１枚の選択の表示に戻る。その際、選択されている画像は直前のオペレーションが［＋］なら改ページ後の先頭画像、［−］なら改ページ後の最終画像、なにも［＋／−］ボタンが押されていない場合は元々選択されていた画像になる。ジャンプモードでダイヤルが変更されSingle再生になった場合も同様な規則で表示する。
【００９３】
モードダイアルスイッチ６０の［MULTI ］と［SINGLE］のポジションの切り替えによって、マルチとシングル間の切り替えが可能である。マルチに変更される際のユーザーが、［＋］、［−］のどちらの操作を行っていたかに応じて、図６に示すような表示を行う。
【００９４】
上記の規則の例外として、マルチからシングル切り替え後、元のマルチ画面を越えないでマルチ画面に戻った場合は同じページを表示する。
【００９５】
（画像操作とカメラ設定に関するメニューの詳細）
図７に、本発明に係わるスライドショーの制御動作の概略を示す。また、図８〜図１４に、スライドショーに関係するメニュー画面等の表示画面を示し、図１５に、後述のMark/Unmark 処理の流れの詳細を示す。次に、これら図７〜図１５を用いて本発明のスライドショーを詳述する。なお、以下の括弧内のＳ１〜Ｓ４０は図７に示す各処理のステップ番号を表す。図７では、フローチャートの最後のステップは明示されていないが、フローの最後の処理まで進んだらＳＴＡＲＴに戻る。
【００９６】
まず、シングル、マルチ表示中に［ＭＥＮＵ] ボタンを押すと（Ｓ１〜Ｓ３）、図８に示すような、ＰＬＡＹ（プレイ）メニューが表示される（Ｓ４）。図８では選択対象は５項目であるので１ページ（１ページ当たり６項目を最大とした時）に収まるが、機能拡張により２ページ以上になる場合が有り得る。その際、１ページは５項目、頁の最後に次ページがあることを示すアイコン（図示しない）を表示する。
【００９７】
すべての階層下では画面上部に現在の階層のどこにいるかを示すタイトルを表示する。タイトル下部には撮影、再生メニューに応じてダイアル６０上にプリントされている撮影、再生の文字と同じ色の線を表示する。［＋／−］ボタンで項目を移動し（Ｓ７〜Ｓ１０）、希望の項目にカーソルを合わせて、［ＳＥＴ］ボタンを押すことにより、画像操作、カメラの設定が可能である。ただし、
・画像が存在しない場合はSetup のみ選択可能、他は灰色表示となる。
【００９８】
・本機の画像フォーマットと若干異なるフォーマットで記録された画像ファイルを再生して見ている時は、Show Info.とSetup が選択可で、  Slide Show, Erase, Protect, Copyは選択不可である。
【００９９】
・操作中シングルとマルチが互いに切り替えられたらメニュー表示をを終了し画面表示する。
【０１００】
メニューの第１項目には、付帯情報（例えば、撮影日時）の表示設定が非表示の場合は、“Show Info.”と表示され、［ＳＥＴ］ボタンを押すと画像表示に戻り、画像の上に情報を表示する。設定は終了時保存され、既に情報表示している場合は“Hide Info.”と表示され、［ＳＥＴ］ボタンを押すと画像表示に戻り、情報を非表示とする（Ｓ６、Ｓ１２〜Ｓ１４）。設定は終了時保存され、次回起動時にも有効である。
【０１０１】
（スライドショーの実行）
図８のＰＬＡＹメニューで“Slide Show”（スライドショー）を選択し、［ＳＥＴ］ボタンを押すと（Ｓ６、Ｓ１２、Ｓ１３、Ｓ１５）、図９に示すような、Slide Showメニューが表示され（Ｓ１６）、スライドショーの実行、設定が可能となる。また、３つのマークファイルＳｈｏｗ１、Ｓｈｏｗ２、およびＳｈｏｗ３を管理することが可能で、マークファイル毎のマーク情報の設定、スライドショーをすることが可能となる。
【０１０２】
図９のメニューにおいて“Start ”を選択して［ＳＥＴ］ボタンを押すと（Ｓ６、Ｓ１２、Ｓ１８、Ｓ１９）、図１０の（ａ）に示すように、画面右に、全ての画像か、マークされた画像をスライドショーするかを選択するサブメニューが表示される（Ｓ２０）。選択可能な項目は、
・All Images  ：図４のファイルの配下全画像を番号順（撮影順）に再生する。
【０１０３】
・Show  １〜３：マークファイルで指定された画像を指定順で再生する。
何もマークファイルが設定されていない場合には、Ｓｈｏｗ１、Ｓｈｏｗ２、Ｓｈｏｗ３の表示を灰色表示する。即ち、使用者が選択できないようにする。
【０１０４】
即ち、自動再生順ファイルに対して、少なくとも編集の可否、または実行の可否に関する表示をしている。
【０１０５】
上記のいずれかの項目が選択されて、［ＳＥＴ］ボタンが押されると（Ｓ６、Ｓ１２、Ｓ１８、Ｓ２８、Ｓ２９）、再生の設定（後述）に従ってスライドショーを開始する（Ｓ３０、Ｓ３１）。スライドショーを実行中、自動再生では、［＋／−］いずれのボタンの押し下げもポーズ、再び押すと再開となり、マニュアルを実行中では［＋／−］ボタンで画像を前／後に送り、最後（先頭）画像で、［＋］（［−］）ボタンを押した時は、repeat on の場合、先頭（最後）の画像に移動する。
【０１０６】
自動、マニュアルとも、［ＭＥＮＵ] ボタンの押し下げでスライドショーの実行を終了し、図９のメニューに戻る。上記のポーズ／再開（Pause/Restart ）は本体（ボディー）には非表示だが、最初の画像のデコードの間に、図１０の（ｂ），図１０の（ｃ）に示すようなガイダンスを表示する。
【０１０７】
スライドショーの実行中、付帯情報表示は設定に従って表示される。
【０１０８】
（スライドショーのマーク編集の操作）
図９のメニューで“Mark／Unmark”（マーク設定／マーク解除）を選択して［ＳＥＴ］ボタンを押すと（Ｓ６、Ｓ１２、Ｓ１８、Ｓ２８、Ｓ３２）、図１１に示すように、画面右に、Start の時と同様に Show １、 Show ２、 Show ３の選択項目をもつサブメニューが表示され（ただし、All Imagesはない）、マークファイルを選択してからマークモードに入る（Ｓ３３）。この時のサブメニューの選択ができるか否か、およびその表示状態は後述する処理( 図１５）によって決定される。マークモードでは、図１２に示すように、マルチ表示を見ながら画像のマーク設定、マーク解除が可能である。
【０１０９】
図１２において、画面の１段目の“Mark／Unmark Show １  ２”の“Mark／Unmark”はマークモード下で編集対象として Show １のファイルが選択されていることを示している。また現在選択されている画像がマークされていればそのマークの順番が示されが、上記一段目の“２”はその順番が２番目であることを示している。従って、これによりスライドショーの実行時の対象画像の再生順序が容易に分かるようになっている。
【０１１０】
また画面中央の３×２個の枠は表示中のカメラ上の画像（ただしサムネール画像）を表し、それら幾つかの画像の左上角近傍に表示されたチェックアイコンはマーク済みの画像であることを表している。
【０１１１】
また、３×２個の画像枠の真下に表示されている細長い棒状の枠は上記選択枠の画像が全体の画像の中でどの位置にあるかの位置関係を表すポジションバーである。このポジションバーは全体の画像の中のどの画像を現在見ているかを示す参考情報として、他の表示モードでも必要に応じて適宜使用されている。
【０１１２】
このポジションバーの下に図示された“NO９２４３”は太線の選択枠で囲んだ選択枠の画像（選択画像）のピクチャ番号（画像毎に変わる自動的に付けられる固有番号であって５桁まで可能）を示している画像情報である。その右側のアイコンはロックとスピーカーありを示している。さらにその右の“［ＳＥＴ］  Ｍａｒｋ”はガイダンス表示であって、選択画像がマークされていれば“Ｕｎｍａｒｋ”と表示され、マークされていなければ“Ｍａｒｋ”と表示される。
【０１１３】
このマークモードにおいて［＋／−］ボタンを用いて、図１３に示すように、選択画像を移動し、［ＳＥＴ］ボタンでMark／Unmark（マーク設定／マーク解除）をトグルで切り替えることができる。
【０１１４】
即ち、上記のように、選択している画像が既にマークされている（チェックアイコンが表示されてスライドショー対象の画像として選択されている）時は上記ガイダンス表示が“Ｕｎｍａｒｋ”になり、逆に、選択している画像がまだマークされていないとき（チェックアイコンが表示されていない）時は上記ガイダンス表示は“Ｍａｒｋ”になる。
【０１１５】
［＋／−］ボタンを用いて画像を選択して、ガイダンス表示に“Ｍａｒｋ”が表示されている、つまりその選択画像が未マークの時に［ＳＥＴ］ボタンが押されると、上記太線の選択枠で囲んだ画像がマークされたことを示すマーク情報をマークファイルＭＡＲＫ ００．ＭＲＫに付加して保存し、その選択画像の左肩近傍にチェックアイコンを新たに表示する。
【０１１６】
［＋／−］ボタンを用いて画像を選択して、ガイダンス表示に“Ｕｎｍａｒｋ”が表示されている、つまりその選択画像が既にマーク済みの時に、［ＳＥＴ］ボタンが押されると、上記太線の選択枠で囲んだ画像がマークされたことを示すマーク情報をマークファイルＭＡＲＫ ００．ＭＲＫから削除し、その選択画像の左肩近傍にあったチェックアイコンを非表示にする。
【０１１７】
選択した順番でマーク情報がマークファイルの中に残される。
【０１１８】
マークの数（全数）が１００個を越えたら画面中の［ＳＥＴ］  Ｍａｒｋは灰色表示（またはコントラストを落す表示）となり、マークのセットをできなくする。また、１００個を越えていない場合でも、マークの数がそのマークファイルの容量一杯になった時も同様に画面中の［ＳＥＴ］  Ｍａｒｋは灰色表示となり、マークのセットができなくなる。この場合、容量不足を示すメッセージまたはアイコンをガイダンスの欄に表示しても好ましい。
【０１１９】
その後、［ＭＥＮＵ] ボタンの押し下げでスライドショーの編集作業を終了し、図９のスライドショーのメニューに戻る。
【０１２０】
また、図１２の表示中において、［ＪＵＭＰ］ボタンが押された時はジャンプ状態になり、画面中の［ＳＥＴ］  Ｍａｒｋは灰色表示となる。
【０１２１】
図９のメニュー表示状態で“Clear Marks ”を選択して［ＳＥＴ］ボタンを押すと（Ｓ６、Ｓ１２、Ｓ１８、Ｓ１９、Ｓ２１、Ｓ２３）、図１１のMark／Unmarkの時と同様に、表示画面上に Show １、 Show ２、 Show ３が表示される（Ｓ２４）。そこで、これらマークファイルの１つを指定して、［ＳＥＴ］ボタンを押すと（Ｓ６、Ｓ１２、Ｓ１８、Ｓ２８、Ｓ３２、Ｓ３４）、図１４に示すような、全てのマークを消す旨の消去の意志の確認を行う画面が表示され、“OK”のソフトキーの選択でユーザの消去の意志を確認後、指定のマークファイルの全マーク情報の消去を実行する（Ｓ３５）。これにより、各マークファイル毎にマーク情報を一括して消去することができる。
【０１２２】
上述したマーク編集操作でマーキングした時に作られるファイルは、前述したように図４に示すＭＡＲＫ ＊＊．ＭＲＫである。ＭＡＲＫ ００．ＭＲＫはS ｏｗ１、ＭＡＲＫ ０１．ＭＲＫはＳｈｏｗ２、ＭＡＲＫ ０２．ＭＲＫはＳｈｏｗ３に対応する。各ＭＡＲＫ ＊＊．ＭＲＫはそれぞれ１００枚までの画像を格納できる。そのフォーマットに合わせて設定された１番画像と１０番画像をマーク編集した例を下記に示す。一例としてカメラ規格に従うＴａｇ１のフォーマットは次の通りである。なお、下記の〈CR〉は記載の便宜上、キャリッジリターンの記号を表すものとして使用した。
【０１２３】
【数１】
0004541459.tif 000002
上記の〈IMG SRC ＝“．．／CTG 0000／AUT xxxx．JPG ”〉〈CR〉の各１行がそれぞれ１画像のマーク情報であり、これらのタグを複数行並べて、並んだ順序で画像を選択する。
【０１２４】
また、上記のタグの上から２行はヘッダである。マークファイルの各ファイルのタグが正しいかの判断のチェックポイントは次の点である。
【０１２５】
・〈で始まり、〉で終わること。
【０１２６】
・スペースがIMG SRC の間にあること。これ以外のスペースが無いこと。
【０１２７】
・IMG SRC ＝“      ”における“      ”でくるまれている部分に書かれたファイルがカメラで生成したファイルを特定していること。即ち、
（１）．．／CTG で始まること。
【０１２８】
（２）．．／CTG 0000／AUT 0001．JPG であること。CTG 0000は８文字であり、AUT 0001．JPG は１２文字である。さらに詳しくは、CTG 0000の0000部分は０〜９の数字であり、CTG 0000の 部分は‘  ’または１〜９の数字である。また、AUT 0001．JPG のAUT は‘ａ’〜‘ｚ’、‘Ａ’〜‘Ｚ’、‘０’〜‘９’の数字であり、 部分は‘  ’または１〜９の数字であり、0001の部分は０〜９の数字であり、JPG の部分は、JPG またはCRW であること。
【０１２９】
（３）CTG 0000の 0000で表される数字をＡとおき、AUT 0001．JPG の 0001で表される数字をＢとおいた場合、次の式（１）が成立すること。下記の５０は１つのデレクトリで許されるファイルの数である。
【０１３０】
【数２】
Ａ×５０  ＜  Ｂ  ≦  （Ａ＋１）×５０          …（１）
カメラ規格でないＴａｇ２のフォーマットは次の通りである。
【０１３１】
【数３】
0004541459.tif 000003
上記において、PWRSHOT MULTI ENTRIES のタグが入っていると、これはパーソナルコンピュータ（ＰＣ）ですでに編集したことを示しているので、カメラが編集してはいけないことが早く理解できる。従って、この場合は、上述のTag の場合のような複雑な解析をしないでよい。
【０１３２】
なお、上記〈CR〉はマイクロソフトのＤＯＳにおける改行コードである。アップル社のマックＯＳにおける改行コードは〈LF〉である。本実施形態での装置が記録する場合には、〈CR〉を記録するが、再生の場合には〈LF〉で示されたコードが与えられた場合でも〈CR〉で示されたコードと同様に動作する。
【０１３３】
図１５は上述したマーク編集操作の内、特にステップＳ３３のマークモード時の処理に関係する制御の流れを示している。ここで、Ｓ１０７のヘッダの有無とヘッダが正しいかの判断、Ｓ１１１のタグが規格のフォーマットに一致しているかの判断は上記チェックポイントに従う。つまり、カメラで編集できないファイルを判断し、編集対象から外す処理を行っている。スライドショーの編集対象からはずすものとしては、ＰＣで編集したものと、ユーザがファイルの中身を変更したものとがある。さらに、Ｓ１０３とＳ１０４では記憶手段の空き容量を判断している。
【０１３４】
まず、扱うマークファイルの最大数の５０個（図４参照）に達したかチェックして（Ｓ１０１）、達した場合は終了処理を行い（Ｓ１０２）、達しなかった場合はファイルがまだ有るかをチェックして（Ｓ１０３）、無い場合は記憶手段全体（ＣＦ）の残り容量は十分かをチェックして（Ｓ１０４）、その容量がある場合はマーク無し、編集可能で削除を不可にして（Ｓ１０５）、Ｓ１０１に戻り、その容量が無い場合はマーク無し、編集も削除も不可にして（Ｓ１０６）、Ｓ１０１に戻る。
【０１３５】
Ｓ１０３でファイルがある場合は、ヘッダの有無とヘッダが正しいかの判断を行い（Ｓ１０７）、ヘッダが無かったり、正しくない場合は、マーク有り、編集も削除も不可にして（Ｓ１０８）、Ｓ１０１に戻る。
【０１３６】
ヘッダが正しい場合は画像の最大編集数である１００枚をカウントするためのカウンタの値ｃｎｔをｃｎｔ＝０にした後（Ｓ１０９）、ｃｎｔ＜１００か否かをチェックして（Ｓ１１０）、否であればマーク有り、編集も削除も不可にして（Ｓ１０８）、Ｓ１０１に戻る。この処理によって得られたマークファイルの状態に応じてメニューの表示を以下のように行う。
【０１３７】
「マーク有り、編集可」の場合は、図１１の▲１▼で示すような表示を行う。
【０１３８】
「マーク有り、編集不可」の場合は、図１１の▲２▼で示すような表示を行う。
【０１３９】
「マーク無し、編集可」の場合は、図１１の▲３▼で示すような表示を行う。
【０１４０】
「マーク無し、編集不可」の場合は、図示していない（ただし、スライドショースタート時に何もマークが無い時と同様に灰色表示される。) 。
【０１４１】
かかる灰色表示に限らず、識別のためには種々の変形が可能である。本発明は表示の具体的な形態に限定されるものではない。
【０１４２】
この表示条件は、マークのクリア（つまり削除）に関しても同様である。
【０１４３】
ｃｎｔ＜１００であれば、ＩＭＧタグは正しいか否かをチェックして（Ｓ１１１）、正しくなければマーク有り、編集も削除も不可にして（Ｓ１０８）、Ｓ１０１に戻り、ＩＭＧタグが上記の規格のフォーマットに一致したと確認できたときは、カウンタの値ｃｎｔをｃｎｔ＋１にインクリメントし（Ｓ１１２）、タグがまだあれば（Ｓ１１３）、Ｓ１１０に戻り、タグが無くなれば、マーク有り、編集も削除も可にして（Ｓ１１４）、Ｓ１０１に戻る。
【０１４４】
ｃｎｔ≧１００のときは、少なくとも削除の処理はできてもよいように構成してもよいが、ｃｎｔ≧１００でこの表示（Ｓ１０８）をしているのか、それ以外の条件（Ｓ１０７、Ｓ１１１）でこの表示（Ｓ１０８）をしているのかが、ユーザー（操作者）に識別できないため、同様に編集も削除もできない様に構成した。
【０１４５】
（スライドショーの設定）
図９のメニュー画面において、Play Time 、Repeatはスライドショーの設定項目である。“Play Time ”（１画面の表示時間）あるいは“Repeat”（全スライドショー対象画面の繰り返し表示）を選択して、［ＳＥＴ］ボタンを押すと（Ｓ６、Ｓ１２、Ｓ１８、Ｓ１９、Ｓ２１、Ｓ２３、Ｓ２５）、下記のような選択候補（項目）が右に表示され（Ｓ２６またはＳ２６）、さらにその項目を選択して、［ＳＥＴ］ボタンを押すと（Ｓ６、Ｓ１２、Ｓ１８、Ｓ２８、Ｓ３２、Ｓ３４、Ｓ３６、Ｓ３８）、Play  Timeの時間あるいはRepeatのＯＮ／ＯＦＦが決定し、元の図９の画面に戻り、設定した項目が表示される（Ｓ３７、Ｓ３９）。
【０１４６】
・Play  Time    ：３sec ．（Auto）（default ），5sec．（Auto），
10sec （Auto），＋／−Manualを選択する。
【０１４７】
・Repeat        ：On／Off （default ）を選択する。
【０１４８】
スライドショーの再生順番は上記のマーク編集で指定した順序である。
【０１４９】
尚、”Play  time”等のメニュー画面で設定した情報をマークファイルに書き込む替わりにしてもよい。
【０１５０】
（画像の削除）
図８のPlayメニューで“Erase ”の項目を選択し、［ＳＥＴ］ボタンを押すと、Erase メニュー（図示しない）が表示され、Single（画像毎）で画面削除するかAll （全画像）の画面削除するかを選択する（Ｓ１７）。Singleはシングル再生で、一枚ずつ画像を消去していくイレーズモードに入る。All では図１４と同様に、確認ダイアログ（メッセージ“Erase all images”タイトルはErase 表示後、全画像を一括消去の処理を実行する。All erase 実行中はプロレスバー、キャンセルボタンが表示され、キャンセル可能である。
【０１５１】
イレーズモードの初期画面はPlayメニューに入る前に選択されていた画像である。[ ＋／−] ボタンで画像を送り、［ＳＥＴ］ボタンで“Erase ＃01234 ？Cancel／OK”の確認ダイアログの後、画像の消去を実行する。消去後は1 つ前の画像が表示される。先頭の画像を消去時のみ、最終画像が表示される。表示画像がプロテクトされていたらガイダンスを灰色表示し、［ＳＥＴ］ボタンを受け付けない。
【０１５２】
消去の結果画像が無くなったら、“No Image”と表示する。この後は、［ＭＥＮＵ］ボタンのみ受け付ける。
【０１５３】
［ＭＥＮＵ］ボタンでイレーズモードを抜け一つ前の状態（Erase メニューまたはPlayメニュー）に戻る。
【０１５４】
（他の実施形態）
なお、本発明は、上述したデジタルカメラばかりでなく、ＰＤＡ（個人情報管理）機器のような小型の画像処理機器、あるいは複数の機器（例えば、ホストコンピュータ、インターフェース機器、リーダ、プリンタなど）から構成されるシステムに適用しても、１つの機器からなる装置（例えば、複写機、ファクシミリ装置など）に適用してもよい。
【０１５５】
また、本発明の目的は、前述した実施の形態の機能を実現するソフトウエアのプログラムコードを記憶した記憶媒体（記憶媒体）を、システムあるいは装置に供給し、そのシステムあるいは装置のコンピュータ（またはＣＰＵやＭＰＵ）が記憶手段に格納されたプログラムコードを読み出し、実行することによっても、達成されることは言うまでもない。
【０１５６】
この場合、記憶手段から読み出されたプログラムコード自体が前述した実施の形態の機能を実現することになり、そのプログラムコードを記憶した記憶媒体は本発明を構成することになる。
【０１５７】
そのプログラムコードを記録し、またテーブル等の変数データを記憶する記憶媒体としては、例えばフロッピディスク（ＦＤ）、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭなどを用いことができる。
【０１５８】
また、コンピュータが読み出したプログラムコードを実行することにより、前述の実施の形態の機能が実現されるだけでなく、そのプログラムコードの指示に基づいて、コンピュータ上で稼動しているＯＳ（オペレーティングシステム）などが実際の処理の一部または全部を行ない、その処理によって前述した実施の形態の機能が実現される場合も含まれることは言うまでもない。
【０１５９】
【発明の効果】
以上説明したように、本発明によれば、自動再生プログラムの再生が行え、かつ選択設定可能な自動再生プログラムがどれであるかを容易に認識でき、更に必要最小限度の兼用操作キーを用いてスライドショーの編集・実行を行なうことのできる顕著な効果を奏する。
【図面の簡単な説明】
【図１】本発明の一実施形態の画像再生装置の構成例を示すブロック図である。
【図２】本発明の画像再生装置を適用した電子カメラの平面図である。
【図３】図２の電子カメラの背面図である。
【図４】本発明の一実施形態における記憶手段に記録されるデータのディレクトリ構造の一例を示す図である。
【図５】本発明の一実施形態におけるマルチ画再生画における画像選択カーソルの移動を示す図である。
【図６】本発明の一実施形態におけるシングルとマルチ間の切り替え規則を示す図である。
【図７】本発明の一実施形態におけるスライドショーの制御動作の概略を示すフローチャートである。
【図８】本発明の一実施形態におけるＰＬＡＹメニュー画面を示す図である。
【図９】本発明の一実施形態におけるＳｌｉｄｅ  Ｓｈｏｗメニュー画面を示す図である。
【図１０】本発明の一実施形態におけるＳｌｉｄｅ  Ｓｔａｒｔ画面を示す図である。
【図１１】本発明の一実施形態におけるＭａｒｋ／Ｕｎｍａｒｋ画面を示す図である。
【図１２】本発明の一実施形態におけるのスライドショーマークの編集画面を示す図である。
【図１３】本発明の一実施形態におけるのスライドショーマークの編集画面の画像選択カーソルの移動を示す図である。
【図１４】本発明の一実施形態におけるＣｌｅａｒ  ｍａｒｋ画面を示す図である。
【図１５】本発明の一実施形態におけるスライドショーマークのマーク編集の処理動作の流れを示すフローチャートである。
【符号の説明】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチSW1
６４  シャッタースイッチSW2
６６  画像表示ON/OFFスイッチ
６８  クイックレビューON/OFFスイッチ
７０  操作部
８０  電源制御手段
８２  コネクタ
８４  コネクタ
８６  電源手段
９０  インタフェース
９２  コネクタ
９４  インタフェース
９６  コネクタ
９８  記憶手段着脱検知手段
１００  画像再生装置（画像処理装置）
１０２  保護手段
１０４  光学ファインダ
１１０  通信手段
１１２  コネクタ（またはアンテナ）
２００  記憶手段
２０２  記録部
２０４  インタフェース
２０６  コネクタ
２１０  記憶手段
２１２  記録部
２１４  インタフェース
２１６  コネクタ
【図１】
0004541459.tif 000004
【図２】
0004541459.tif 000005
【図３】
0004541459.tif 000006
【図４】
0004541459.tif 000007
【図５】
0004541459.tif 000008
【図６】
0004541459.tif 000009
【図７】
0004541459.tif 000010
【図８】
0004541459.tif 000011
【図９】
0004541459.tif 000012
【図１０】
0004541459.tif 000013
【図１１】
0004541459.tif 000014
【図１２】
0004541459.tif 000015
【図１３】
0004541459.tif 000016
【図１４】
0004541459.tif 000017
【図１５】
0004541459.tif 000018